(57)【特許請求の範囲】
【請求項１】
空気を吸排気する吸排気手段と、
外壁側の部屋の天井裏または壁面に設置され、吸排気手段を内蔵する吸排気本体と、
吸排気本体に接続され、吸排気本体から外壁の孔へ延設された不燃ダクトと、外壁側の部屋の天井裏から他の部屋の天井裏に延出される不燃ダクトより小径のダクトと、
他の部屋の天井に取り付けられ、ダクトの先端と接続される吸排気グリルと、
天井裏の内壁上の床根太の孔に設けられ、他の部屋に延出するダクトに接続され、所定の温度で非通気状態にする遮断手段と、吸排気本体の近傍でダクトに接続されている遮断手段とを備え、
吸排気本体から複数のダクトが延出され、複数のダクトは複数の部屋の各々の天井に設けられた吸排気グリルに接続され、複数の部屋の各部屋までにある内壁上の複数の床根太の各々の孔に遮断手段が設けられていることを特徴とする換気システム。
【請求項２】
遮断手段は、筒体であり、筒体の内部に、付勢部材と、付勢部材に付勢され対面した状態で通気状態を維持する開閉可能な２枚の遮断部材と、付勢され対面した状態を維持するために２枚の遮断部材を挟んでいるヒューズを有することを特徴とする請求項１に記載の換気システム。
【請求項３】
ヒューズは排気の上流側に設けられ所定の温度に達したときに部材の一部が溶けて２枚の遮断部材を開放し、付勢部材は２枚の遮断部材を開き非通気状態にすることを特徴とする請求項２に記載の換気システム。
【請求項４】
遮断手段が吸排気グリルの近傍でダクトに接続されていることを特徴とする請求項１〜３のいずれかに記載の換気システム。
【発明の詳細な説明】
【技術分野】
【０００１】
本発明は、戸建住宅等における、換気システムに関するものである。
【背景技術】
【０００２】
図７示すように、戸建住宅におけるカセット式熱交換換気システム１００について、吸排気グリル１５が接続されている排気側のダクト１１０に他の部屋１２０の火災から隣接する部屋１３０への延焼を防ぐ為の対策が行われていないと、他の部屋１２０の火災から隣接する部屋１３０への延焼を防ぐことができなかった。
【０００３】
そこで、図８に示すように、排気側のダクト１１０を他の部屋１２０の火災から隣接する部屋１３０への延焼を防ぐ為に、不燃ダクト１１１，吸排気グリル１５および吸排気本体２００を全て不燃材３００で覆う必要があった。
【０００４】
不燃効果のある不燃ダクト１１１は、径１００ミリ以上ある。この不燃ダクト１１１を使用する場合、床根太（梁）１４０に開けられる穴の大きさに制限があるため、図８に示すように、床根太 (梁)１４０に穴を開けずに、天井１５０を下げる施工が主となっている。
【０００５】
そこで、不燃効果のある不燃ダクト１１１を使わないで、他の部屋１２０の火災から隣接する部屋１３０への延焼を防ぐために、火気のダクト内での流通を遮断する開閉ダンパーを使用することが考えられる（特許文献１）。
【０００６】
特許文献１は、ファン箱本体の内部には、その底壁の内壁に、ヒンジが形成されており、ヒンジピンを介して、開閉ダンパーとして機能するドア体が回動可能に軸支されており、このドア体は、可動枠体とその可動枠体内に保持された断熱材層とを備えていることを開示している。
【先行技術文献】
【特許文献】
【０００７】
【特許文献１】特開２００１−２９６０４５号公報
【発明の概要】
【発明が解決しようとする課題】
【０００８】
ここで、天井を下げる施工が不評となり、カセット式熱交換換気システムを利用する顧客が減少することが考えられる。また、強固な床根太 (梁)を使用して径１００以上の穴を開ける方法もあるが、使用上の制限・構造の変更・使用材料のコストＵＰが懸念になるという問題があった。
【０００９】
また、特許文献１では、開閉ダンパーとしてのドア体の開閉を行うために、開閉駆動装置をファン箱本体に設ける必要があるが、開閉駆動装置は温度検出器などと組み合わせる必要があり、構造が複雑になるという問題があった。
【００１０】
そこで、本発明は、天井を下げる施工をせず、コストＵＰの懸念がなく、かつ、簡単な構造で、他の部屋の火災から延焼を防ぐ換気システムを提供することを目的とする。
【課題を解決するための手段】
【００１１】
上記課題を解決するために、請求項１に記載の換気システムに係る発明は、例えば、図１〜図４に示すように、
空気を吸排気する吸排気手段と、
外壁側の部屋の天井裏または壁面に設置され、吸排気手段を内蔵する吸排気本体と、
吸排気本体に接続され、吸排気本体から外壁の孔へ延設された不燃ダクトと、外壁側の部屋の天井裏から他の部屋の天井裏に延出される不燃ダクトより小径のダクトと、
他の部屋の天井に取り付けられ、ダクトの先端と接続される吸排気グリルと、
天井裏の内壁上の床根太の孔に設けられ、他の部屋に延出するダクトに接続され、所定の温度で非通気状態にする遮断手段と、吸排気本体の近傍でダクトに接続されている遮断手段とを備え、
吸排気本体から複数のダクトが延出され、複数のダクトは複数の部屋の各々の天井に設けられた吸排気グリルに接続され、複数の部屋の各部屋までにある内壁上の複数の床根太の各々の孔に遮断手段が設けられている事を特徴とする。
【００１２】
請求項１に記載の換気システムに係る発明によれば、空気を吸排気する吸排気手段と、吸排気本体に接続され、吸排気本体から外壁の孔へ延設された不燃ダクトと、外壁側の部屋の天井裏または壁面に設置され、吸排気手段を内蔵する吸排気本体と、吸排気本体に接続され、外壁側の部屋の天井裏から他の部屋の天井裏に延出される不燃ダクトより小径のダクトと、他の部屋の天井に取り付けられ、ダクトの先端と接続される吸排気グリルと、天井裏の内壁上の床根太の孔に設けられ、他の部屋に延出するダクトに接続され、所定の温度で非通気状態にする遮断手段と、吸排気本体の近傍でダクトに接続されている遮断手段とを備えているので、この遮断手段を用いることにより、天井を下げる施工をせず、コストＵＰの懸念がなく、簡単な構造にすることができ、かつ、複数個所で他の部屋の火災から延焼を防ぐことができる。
また、吸排気本体から複数のダクトが延出され、複数のダクトは複数の部屋の各々の天井に設けられた吸排気グリルに接続され、複数の部屋の各部屋までにある複数の床根太の各々の孔に遮断手段が設けられているので、複数の部屋がある場合は内壁上の床根太の数だけ遮断手段を設けることができ、天井を下げる施工をせず、他の部屋の火災から延焼を防ぐことができる。
【００１３】
請求項２に記載の換気システムに係る発明は、例えば、図５，図６に示すように、遮断手段は、筒体であり、筒体の内部に、付勢部材と、付勢部材に付勢され対面した状態で排気を通す通気状態を維持する開閉可能な２枚の遮断部材と、付勢され対面した状態を維持するために２枚の遮断部材を挟んでいるヒューズを有する事を特徴とする。
【００１４】
請求項２に記載の換気システムに係る発明によれば、遮断手段は、筒体であり、筒体の内部に、付勢部材と、付勢部材に付勢され対面した状態で通気状態を維持する開閉可能な２枚の遮断部材と、付勢され対面した状態を維持するために２枚の遮断部材を挟んでいるヒューズを有するので、簡易な構成で遮断手段を提供することができる。
【００１５】
請求項３に記載の換気システムに係る発明は、ヒューズは排気の上流側に設けられ所定の温度に達したときに部材の一部が溶けて２枚の遮断部材を開放し、付勢部材は２枚の遮断部材を開き非通気状態にする事を特徴とする。
【００１６】
請求項３に記載の換気システムに係る発明によれば、ヒューズは排気の上流側に設けられ所定の温度に達したときに部材の一部が溶けて２枚の遮断部材を開放し、付勢部材は２枚の遮断部材を開き非通気状態にするので、駆動装置を設けずに、遮断手段を介して非通気状態にすることができ、他の部屋の火災から延焼を防ぐことができる。
【００１９】
請求項５に記載の換気システムに係る発明は、例えば、図１〜図３に示すように、遮断手段が吸排気グリルの近傍でダクトに接続されている事を特徴とする。
【００２０】
請求項４に記載の換気システムに係る発明によれば、遮断手段が吸排気グリルの近傍でダクトに接続されているので、複数個所で火災の延焼を防ぐことができる。
【発明の効果】
【００２１】
本発明によれば、天井を下げる施工をせず、コストＵＰの懸念がなく、かつ、簡単な構造で、他の部屋の火災から延焼を防ぐ換気システムを提供することができる。
【図面の簡単な説明】
【００２２】
【図１】本発明に係る換気システムの一例を示す模式図である。
【図２】本発明に係る換気システムの一例を示す断面図である。
【図３】本発明に係る換気システムの一例を示す平面図である。
【図４】本発明に係る換気システムの遮断手段の一例を示す断面図である。
【図５】本発明に係る換気システムの遮断手段の一例を示す平面図である。
【図６】本発明に係る換気システムの遮断手段の一例を示す平面図である。
【図７】従来の換気システムの一例を示す断面図である。
【図８】従来の換気システムの一例を示す断面図である。
【発明を実施するための形態】
【００２３】
以下、図面を参照して、本発明の実施の形態について説明する。
【００２４】
＜実施の形態＞
図１〜図４は、本発明に係る換気システムの一実施の形態を示している。
【００２５】
図１〜図３に示す換気システム１は、空気を吸排気するファン３（本発明の「吸排気手段」に相当）と、外壁５側の部屋７ａの天井裏に設置され、排気フィルターと吸排気手段を内蔵する鋼板製の吸排気本体９と、吸排気本体９に接続され、外壁５側の部屋７ａの天井裏から他の部屋７ｂ〜７ｄの天井裏に延出されるダクト１１ａ〜１１ｅと、他の部屋７ｂ〜７ｄの天井１３に取り付けられ、ダクト１１ａ〜１１ｅの先端と接続される吸排気グリル１５と、天井裏の内壁１７上の床根太１９の孔２１に設けられ、他の部屋７ｂ〜７ｄに延出するダクト１１ａ〜１１ｅに接続され、所定の温度で吸排気グリル１５から吸排気本体９への排気を遮断する遮断手段２３と、を備えている。
【００２６】
更に、換気システム１は、吸排気本体９から外壁５の孔２１へ延設された不燃ダクト２５と、不燃ダクト２５と接続され、外壁５に取り付けられた屋外フード２７を備える。図１に示すように、不燃ダクト２５と屋外フード２７は吸気用と排気用それぞれ設けられている。
【００２７】
図１に示すように、吸排気本体９は、直方体であり、その側面から、径５０ｍｍのダクト１１ａ〜１１ｅ、径１００ｍｍの不燃ダクト２５が延設されている。吸排気本体９の内部には、図示しない排気フィルターが設けられており、空気の洗浄が行われている。ファン３は電気で駆動し、図示しないスイッチで、駆動動作のオン・オフが可能である。
【００２８】
図４〜図６に示すように、遮断手段２３は、径５０ｍｍの鋼製の筒体２９であり、筒体２９の内部に、鋼製のバネからなる付勢部材３１と、付勢部材３１に付勢され対面した状態で排気を通す通気状態を維持する開閉可能な２枚の半円板状の鋼板製の遮断部材３３と、付勢され対面した状態を維持するために２枚の遮断部材３３を挟んでいるコ字型のヒューズ３５を有する。
【００２９】
各遮断部材３３は、図５に示すように、筒体２９内部に輪状に設けられた凸部３７の近傍の鋼製の回転軸３９に取り付けられ、回転可能に筒体２９内部に取り付けられている。遮断部材３３が対面した状態で、付勢部材３１は、遮断部材３３に挟まれており、筒体２９の内面から中央に延設された円柱状の鋼製の棒３２に取り付けられている。２枚の遮断部材３３の回転軸３９間には、鋼板製の長方形の板４１が設けられており、図６に示すように、２枚の遮断部材３３が付勢部材３１により展開して凸部３７に接した状態で、筒体２９内部に円板状の遮断部が形成されて通気を遮断する。
【００３０】
ヒューズ３５は、排気の上流側に設けられ、所定の温度（約１８０度）に達したときに、溶接して接合した部分が溶け、図６に示すように、２部材に分かれる。そして、２枚の遮断部材３３を開放し、付勢部材３１は２枚の遮断部材３３を開き非通気状態にする。その結果、炎や熱風等の火気が逆流してくる事態を確実に阻止することができる。このとき、図４の拡大図における二点鎖線部分の遮断部材３３、また、図６に示すように、遮断部材３３が付勢部材３１により展開して、凸部３７に接した状態で非通気状態にしているので、炎や熱風等の火気が勢いよく逆流してきた場合であっても、遮断部材３３は凸部３７に接した状態がそのまま維持されて、開放することがない。ヒューズ３５を排気の上流側に設けているのは、図６に示すコ字型の垂直面（背面）に熱気または火気があたり、ヒューズ３５の一部を熱に反応させて溶解させ易くするためである。
【００３１】
一方、図３に示すように、吸排気本体９から複数のダクト１１ａ〜１１ｅが延出され、複数のダクト１１ａ〜１１ｅは複数の他の部屋７ｂ〜７ｄの各々の天井１３に設けられた吸排気グリル１５に接続され、複数の他の部屋７ｂ〜７ｄの各部屋までにある複数の床根太１９の各々の孔２１に遮断手段２３が設けられている。吸排気本体９から離れている他の部屋７ｂ〜７ｄほど、そのダクト経路に遮断手段２３が複数設けられている。
【００３２】
また、図１，図３に示すように、遮断手段２３が吸排気本体９の近傍でダクト１１ａ〜１１ｅに接続されている。他の部屋７ｂ〜７ｄに近い遮断手段２３が動作せず通気を遮断しない場合でも、吸排気本体９の近傍で遮断手段２３が動作すれば、この部分で通気を遮断して他の部屋７ｂ〜７ｄの火災から延焼を防ぐことができる。
【００３３】
＜変形例１＞
上記実施の形態においては、吸排気本体９が、外壁５側の部屋７ａの天井裏に設置されている例について説明した。しかし、これに限られず、吸排気本体９が、外壁５側の部屋７ａの壁面に設置してもよい。この場合、吸排気本体９の排気フィルターの取替を容易にすることができる。
【００３４】
＜変形例２＞
上記実施の形態においては、遮断手段２３が吸排気本体９の近傍でダクト１１ａ〜１１ｅに接続されている例について説明した。しかし、これに限られず、遮断手段２３が吸排気グリル１５の近傍でダクト１１ａ〜１１ｅに接続されていてもよい。吸排気グリル１５の近傍に遮断手段２３を設けることにより、火災から延焼をより早く防ぐことができる。
【符号の説明】
【００３５】
１  換気システム
３  ファン
５  外壁
７ａ〜７ｄ  部屋
９  吸排気本体
１１ａ〜１１ｅ  ダクト
１３  天井
１５  吸排気グリル
１７  内壁
１９  床根太
２１  孔
２３  遮断手段
２５  不燃ダクト
２７  屋外フード
２９  筒体
３１  付勢部材
３２  棒
３３  遮断部材
３５  ヒューズ
３７  凸部
３９  回転軸
４１  長方形の板
１００  換気システム
１１０  排気側のダクト
１１１  不燃ダクト
１２０  部屋
１３０  隣接する部屋
１４０  床根太 (梁)
１５０  天井
２００  吸排気本体
３００  不燃材
【図１】
0006414814.tif 000002
【図２】
0006414814.tif 000003
【図３】
0006414814.tif 000004
【図４】
0006414814.tif 000005
【図５】
0006414814.tif 000006
【図６】
0006414814.tif 000007
【図７】
0006414814.tif 000008
【図８】
0006414814.tif 000009